(57)【特許請求の範囲】
【請求項１】
軸に対してローラを着脱可能に設けると共に、前記軸からローラが抜け出るのを防止するための抜け止め部材を、複数のローラに関して共通に一体に設け、さらに、この抜け止め部材を前記軸方向に沿って移動させることにより前記ローラに対して一体的に着脱可能にしたことを特徴とする給紙ローラの支持装置。
【請求項２】
前記抜け止め部材には、前記ローラが装着される複数の前記軸にそれぞれ嵌合する孔が設けられていることを特徴とする請求項１に記載の給紙ローラの支持装置。
【請求項３】
軸に対してローラを着脱可能に設けると共に、前記軸からローラが抜け出るのを防止するための抜け止め部材を、複数のローラに関して共通に一体に設け、この抜け止め部材をローラに対して一体的に着脱可能にしており、前記抜け止め部材は、前記軸とは別に設けられたスタッドに係合する係合部材を有することを特徴とする給紙ローラの支持装置。
【請求項４】
軸に対してローラを着脱可能に設けると共に、前記軸からローラが抜け出るのを防止するための抜け止め部材を、複数のローラに関して共通に一体に設け、この抜け止め部材をローラに対して一体的に着脱可能にしており、前記抜け止め部材は、前記軸と軸との間に設けられたスタッドを中心として回動可能とされ、その両端部で前記ローラが抜け出るのを防止することを特徴とする給紙ローラの支持装置。
【発明の詳細な説明】
【０００１】
【発明の属する技術分野】
本発明は、複写機、プリンタ等の画像形成装置の給紙装置において使用される給紙ローラの支持装置に関し、特に、複数のローラの脱着を容易に行なうことができるようにした給紙ローラの支持装置に関する。
【０００２】
【従来の技術】
たとえば、複写機においては、装置内において所定の経路に沿って用紙を搬送するために多数の給紙ローラが使用されている。これらの給紙ローラの表面には、用紙との摩擦を大きくするために、ゴム等の滑り止め部材が取り付けられている。この滑り止め部材は、用紙との接触により摩耗したり汚れたりするため、給紙ローラを定期的に交換する必要がある。
【０００３】
給紙ローラの交換を容易に行なうための構造は、従来から種々提案されている。
【０００４】
たとえば、実開昭６３−９０６４６号公報には、軸付けされたローラ両端近傍の軸を他の支軸部分より切り離して２分割し、分割部分の接合部をねじにより締結するようにした搬送ローラの脱着装置が開示されている。
【０００５】
また、実開昭６３−９０６４７号公報には、ローラ両端へ案内ガイドを設け、このローラの両端部にフランジを接合し、そのフランジに支軸を挿入可能とした搬送ローラの脱着装置が開示されている。
【０００６】
また、特開平０２−２８６９０６号公報には、凹部を有する軸と挿通した芯材に凹部に係止してスラスト方向に固定するための突起を突設したストッパーを一体的に形成したシート材搬送部材が開示されている。
【０００７】
また、特開平０５−１３２１６４号公報には、スライド可能な少なくとも２個のローラを１本の軸上に配し、交換を要する際に待避していたローラを移動させて交換する給紙ローラが開示されている。
【０００８】
また、特開平０８−１２１０２号公報には、回転軸のローラ部を一部Ｄカット形状にした所で、ローラを軸に対して２分割とした駆動装置が開示されている。
【０００９】
【発明が解決しようとする課題】
しかしながら、上述した各公報に記載のローラ交換構造では、いずれも、使用する部材の形状が複雑であり、また、部品点数が多いため、交換作業に時間を要すると共に、コストが高くなるという問題があった。また、従来技術では、軸からローラが抜けるのを防止するために、ローラが取り付けられたそれぞれの軸に市販のＥ抜け止め部材を嵌合しており、ローラ交換の際には、このＥ抜け止め部材を着脱する必要がある。しかしながら、このＥ抜け止め部材の着脱には専用の工具を必要とすると共に、作業が困難であるため、ローラ交換作業に時間を要するという問題もある。更に、Ｅ抜け止め部材の着脱時に、Ｅ抜け止め部材が装置の内外に飛んでしまって紛失したり、装置内に入り込んで障害を引き起こしたりする恐れもある。
【００１０】
そこで本発明は、簡単な構造を有すると共にローラ交換作業を容易に行なうことができる給紙ローラの支持装置を提供することを課題とする。
【００１１】
【課題を解決するための手段】
本発明は、軸に対してローラを着脱可能に設けると共に、前記軸からローラが抜け出るのを防止するための抜け止め部材を、複数のローラに関して共通に一体に設け、さらに、この抜け止め部材を前記軸方向に沿って移動させることにより前記ローラに対して一体的に着脱可能にしたことを特徴とする。また、本発明は、前記抜け止め部材が、前記軸とは別に設けられたスタッドに係合する係合部材を有することを特徴とする。さらに、本発明は、前記抜け止め部材が、前記軸と軸との間に設けられたスタッドを中心として回動可能とされ、その両端部で前記ローラが抜け出るのを防止することを特徴とする。
【００１２】
【実施例】
図１（ａ），（ｂ）は、本発明の給紙ローラの支持装置の第１の実施例の平面図及び側面図である。この給紙ローラの支持装置は、用紙を搬送するためのものであって、フィードローラ１と、このフィードローラ１の用紙搬送方向に関しての上流側或いは下流側に配されたナジャーローラ２と、フィードローラ１が取り付けられるフィードローラ軸３と、ナジャーローラ２が取り付けられるナジャーローラ軸４と、フィードローラ１及びナジャーローラ２がフィードローラ軸３及びナジャーローラ軸４から抜け出るのを防止するための抜け止め部材５と、フィードローラ軸３を回転自在に支持するフィードローラ軸受６ａ及び６ｂと、このフィードローラ軸受６ａ及び６ｂに組まれた主フレーム７と、フィードローラ軸３及びナジャーローラ軸４にそれぞれ取り付けられた従動ギヤ８及び９と、フィードローラ軸３とナジャーローラ軸４との中間に設けられたスタッド１０に回転自在に取り付けられており従動ギヤ８及び９の双方に噛み合うアイドラーギヤ１１と、駆動軸１２に取り付けられており従動ギヤ８に噛み合う駆動ギヤ１３等を備えている。なお、上記フィードローラ１とナジャーローラ２は、軸の回転力がローラに伝達される方向に設定された一方向クラッチを介してフィードローラ軸３とナジャーローラ軸４に取り付けられている。また、スタッド１０の基部は、主フレーム７にカシメ等の固定手段により固定されている。
【００１３】
図２は、抜け止め部材５を単体で示す斜視図である。抜け止め部材５は、合成樹脂により一体的に形成されており、フィードローラ軸３とナジャーローラ軸４との間隔よりも長い長さを有する長円状の連結板体５ａと、この連結板体５ａの一方の端部に設けられフィードローラ軸３が貫通する孔５ｂを有するボス５ｃと、連結板体５ａの他方の端部に設けられナジャーローラ軸４が貫通する孔５ｄを有するボス５ｅと、連結板体５ａの中央部に設けられスタッド１０が貫通する孔５ｆと、この孔５ｆの近傍に植立され前記スタッド１０の先端部に形成された環状凹溝１０ａに係合する爪部５ｇを有する係止部材５ｈを備えている。
【００１４】
上述した第１の実施例の給紙ローラの支持装置において、フィードローラ１とナジャーローラ２をフィードローラ軸３とナジャーローラ軸４から取り外す場合には、係止部材５ｈを矢印Ａ方向に弾性変形させて、係止部材５ｈの爪部５ｇとスタッド１０の環状凹溝１０ａとの係合を解除し、抜け止め部材５を矢印Ｂ方向に引っ張ると、抜け止め部材５をフィードローラ軸３、ナジャーローラ軸４、スタッド１０から抜き出すことができる。
【００１５】
次に、フィードローラ軸３とナジャーローラ軸４から、使用済のフィードローラ１とナジャーローラ２を抜き出して、新しいフィードローラ１とナジャーローラ２をフィードローラ軸３とナジャーローラ軸４に嵌め合わせる。
【００１６】
次に、フィードローラ軸３、ナジャーローラ軸４、スタッド１０に、抜け止め部材５の孔５ｂ、孔５ｄ、孔５ｆの位置を合わせて、抜け止め部材５を矢印Ｃ方向に押し込むと、軸３、４、スタッド１０に対して抜け止め部材５が嵌め合わされる。抜け止め部材５を更に押し込むと、係止部材５ｈの爪部５ｇがスタッド１０の先端に当接するが、爪部５ｇの内側には傾斜部が形成されているので、スタッド１０の先端により爪部５ｇの傾斜部が押されて、爪部５ｇは矢印Ａ方向に弾性変形する。抜け止め部材５を更に押し込むと、係止部材５ｈの爪部５ｇがスタッド１０の環状凹溝１０ａに係合して抜け止め部材５の取り付けが終了する。この状態においては、フィードローラ１とナジャーローラ２の側面が抜け止め部材５により押さえられるので、ローラが軸から抜け出ることはない。
【００１７】
上述した第１の実施例によれば、複数のローラを押さえる抜け止め部材５を、軸方向に移動させるという簡単な操作で複数のローラを容易に交換することができる。
【００１８】
図３（ａ），（ｂ）は、本発明の給紙ローラの支持装置の第２の実施例の側面図及び平面図である。なお、第１の実施例と対応する部材には同一符号を付している。第２の実施例においては、主フレーム７に取り付けられたスタッド１４に、合成樹脂等からなる抜け止め部材１５が回動可能に取り付けられている。この抜け止め部材１５には、回動中心に設けられスタッド１４に嵌合する孔（図示せず）と、抜け止め部材１５の両方の端部に抜け止め部材１５の回動方向に関して同じ円周方向に向いて開いている半円状の係合孔を有する係合部１６及び１７とが形成されている。なお、半円状の係合孔の開口側の寸法は、フィードローラ１とナジャーローラ２の外径よりも僅かに小さくされている。この抜け止め部材１５は、スタッド１４に設けられたストッパ１８と、スタッド１４に嵌合されたＥ抜け止め部材１９との間に挟まれた状態で取り付けられる。
【００１９】
上述した第２の実施例の給紙ローラの支持装置において、フィードローラ１とナジャーローラ２をフィードローラ軸３とナジャーローラ軸４から取り外す場合には、抜け止め部材１５を矢印Ｄ方向に回動させると、抜け止め部材１５の係合部１６及び１７が弾性変形してフィードローラ軸３とナジャーローラ軸４から抜け出る。
【００２０】
次に、フィードローラ軸３とナジャーローラ軸４から、使用済のフィードローラ１とナジャーローラ２を抜き出して、新しいフィードローラ１とナジャーローラ２をフィードローラ軸３とナジャーローラ軸４に嵌め合わせる。
【００２１】
次に、抜け止め部材１５を矢印Ｅ方向に回動させると、抜け止め部材１５の係合部１６及び１７がフィードローラ軸３とナジャーローラ軸４に当接し、係合部１６及び１７が弾性変形しながらフィードローラ軸３とナジャーローラ軸４に係合する。この状態においては、フィードローラ１とナジャーローラ２の側面が抜け止め部材１５により押さえられるので、ローラが軸から抜け出ることはない。上述した第２の実施例によれば、複数のローラを押さえる抜け止め部材５を、回動させるという簡単な操作で複数のローラを容易に交換することができる。なお、第２の実施例においては、Ｅ抜け止め部材１９が使用されているが、このＥ抜け止め部材１９は、ローラの交換の際に着脱する必要はないので、作業性が悪くなることはない。また、抜け止め部材５は、スタッド１４により支持されているので、フィードローラ軸３とナジャーローラ軸４に不要な力が加わることがない。
【００２２】
図４（ａ），（ｂ）は、本発明の給紙ローラの支持装置の第３の実施例の側面図及び平面図である。なお、第２の実施例と対応する部材には同一符号を付している。第３の実施例においては、主フレーム７に取り付けられたスタッド１４に、合成樹脂等からなる抜け止め部材２０が着脱可能に取り付けられている。この抜け止め部材２０には、中心に形成されスタッド１４に嵌合する弾性係合部２１と、抜け止め部材２０の両方の端部に形成されフィードローラ軸３とナジャーローラ軸４に嵌合する孔２２及び２３が設けられている。
【００２３】
抜け止め部材２０の弾性係合部２１は、スタッド１４を挟んで平行に形成された一対のスロット２１ａと、スタッド１４を挟んでスタッド１４を弾性的に挟持するように対向して設けられた弾性係止片２１ｂとを備えている。弾性係止片２１ｂの対向間隔は、弾性係止片２１ｂが弾性変形していないときには、スタッド１４の外径よりも僅かに小さくなる寸法に設定されている。
【００２４】
上述した第３の実施例の給紙ローラの支持装置において、フィードローラ１とナジャーローラ２をフィードローラ軸３とナジャーローラ軸４から取り外す場合には、抜け止め部材２０を矢印Ｆ方向に引くと、抜け止め部材２０の弾性係合部２１の弾性係止片２１ｂが弾性変形して、抜け止め部材２０がスタッド１４から抜け出る。これに伴って抜け止め部材２０は、フィードローラ軸３とナジャーローラ軸４からも抜け出る。
【００２５】
次に、フィードローラ軸３とナジャーローラ軸４から、使用済のフィードローラ１とナジャーローラ２を抜き出して、新しいフィードローラ１とナジャーローラ２をフィードローラ軸３とナジャーローラ軸４に嵌め合わせる。
【００２６】
次に、フィードローラ軸３、ナジャーローラ軸４、スタッド１０に、抜け止め部材５の孔５ｂ、孔５ｄ、弾性係合部２１の位置を合わせて、抜け止め部材２０を矢印Ｇ方向に押し込むと、弾性係合部２１の弾性係止片２１ｂがスタッド１０の先端に当接して弾性変形して弾性係合部２１がスタッド１０に対して嵌合し、抜け止め部材２０の取り付けが終了する。この状態においては、フィードローラ１とナジャーローラ２の側面が抜け止め部材２０により押さえられるので、ローラが軸から抜け出ることはない。
【００２７】
上述した第３の実施例によれば、複数のローラを押さえる抜け止め部材２０を、軸方向に移動させるという簡単な操作で複数のローラを容易に交換することができる。
【００２８】
【発明の効果】
本発明は、複数のローラ軸に渡した１個の抜け止め部材でローラを留めており、また、ローラ交換時は抜け止め部材を一挙動で着脱できるので、ローラの交換が容易となり、以下の改善効果がある。
【００２９】
（１）抜け止め部材脱着に専用の道具不要であり、指先の操作でクリッブをローラ軸溝から容易に外せるので作業性がよい。
【００３０】
（２）細かい部品を使用しないので、紛失したり装置内に落ち込んだりることがない。
【００３１】
（３）１回の操作で複数のローラを留めることができるので交換作業が容易となり、特に多数のローラを交換する必要がある場合には、作業コストを大幅に低減することができる。
【００３２】
（４）作業が容易であるので、ユーザーが自ら必要に応じてローラを容易に交換することができる。
【図面の簡単な説明】
【図１】（ａ），（ｂ）は、本発明の給紙ローラの支持装置の第１の実施例の平面図及び側面図である。
【図２】抜け止め部材を単体で示す斜視図である。
【図３】（ａ），（ｂ）は、本発明の給紙ローラの支持装置の第２の実施例の側面図及び平面図である。
【図４】（ａ），（ｂ）は、本発明の給紙ローラの支持装置の第３の実施例の側面図及び平面図である。
【符号の説明】
１…フィードローラ、２…ナジャーローラ、３…フィードローラ軸、４…ナジャーローラ軸、５…抜け止め部材、６ａ，６ｂ…フィードローラ軸受、７…主フレーム、８，９…従動ギヤ、１０…スタッド、１１…アイドラーギヤ、１２…駆動軸、１３…駆動ギヤ、１４…スタッド、１５…抜け止め部材、１６，１７…係合部、１８…ストッパ、１９…Ｅ抜け止め部材、２０…抜け止め部材、２１…弾性係合部、２２，２３…孔
【図１】
0003625116.tif 000002
【図２】
0003625116.tif 000003
【図３】
0003625116.tif 000004
【図４】
0003625116.tif 000005